(57)【要約】      （修正有）【課題】検査対象物の取り付け、取り外しが容易で、しかも、検査を安全に行うことができる気密検査用治具及び接続部位の気密検査方法を提供する。【解決手段】気密検査用治具Ｚは、ベース１と、このベース１に取り付けられた被摺動部材と、この被摺動部材２に対して気密的に摺動する摺動部材と、ベース１に設けられた検査対象物Ｋが係止される被係止部４と、摺動部材３の内部に導通する通路とを備える。前記通路は、被摺動部材２と摺動部材３で囲まれた室に連通する。検査対象物Ｋは、先端に流体導入口Ｋ１、中途にろう付け、溶接等による接続部位Ｋ２、後端に後端開口部Ｋ３を有する。気密検査用治具Ｚと検査対象物Ｋは、被係止部４に検査対象物Ｋが係止した状態にあって、摺動部材３の通路の開口部と検査対象物Ｋの流体導入口Ｋ１が対向する位置関係にある。【選択図】図２
2016065738.tif 000002
【特許請求の範囲】
【請求項１】
ベースと、
このベースに取り付けられた被摺動部材と、
この被摺動部材に対して気密的に摺動する摺動部材と、
前記ベースに設けられた検査対象物が係止される被係止部と、
前記摺動部材の内部に導通する通路とを備え、
この通路は、前記被摺動部材と前記摺動部材で囲まれた室に連通するものであり、
前記検査対象物は、先端に流体導入口、中途にろう付け、溶接等による接続部位、後端に後端開口部を有し、前記中途は、前記後端開口部から前記流体導入口に接続される検査通路の途中であり、
前記被係止部に前記検査対象物が係止した状態にあって、前記摺動部材の前記通路の開口部と前記検査対象物の前記流体導入口が対向する位置関係にある
ことを特徴とする気密検査用治具。
【請求項２】
ベースと、
このベースに取り付けられた被摺動部材と、
この被摺動部材に対して気密的に摺動する摺動部材と、
前記ベースに設けられた検査対象物が係止される被係止部と、
前記摺動部材の内部に導通する通路とを備え、
この通路は、前記被摺動部材と前記摺動部材で囲まれた室に連通するものであり、
前記検査対象物は、先端に流体導入口、中途にろう付け、溶接等による接続部位、後端に後端開口部を有し、前記中途は、前記後端開口部から前記流体導入口に接続される検査通路の途中であり、
前記被係止部に前記検査対象物が係止した状態にあって、前記摺動部材の前記通路の開口部と前記検査対象物の前記流体導入口が対向する位置関係にあり、
前記検査対象物の前記後端開口部から流体を供給し、前記検査対象物の前記流体導入口及び前記摺動部材の前記通路の開口部を介して前記摺動部材の通路から前記摺動部材の内部に前記流体を供給して、前記摺動部材が前記検査対象物に向かって移動し、前記摺動部材の通路の先端縁部が前記検査対象物の前記流体導入口の縁部と密に接触し、この接触した状態で気密検査をする
ことを特徴とする接続部位の気密検査方法。
【請求項３】
気密検査は、
接続部位の接続状態を水中に没した状態、又は、前記接続部位に水を塗布した状態、又は、前記接続部位に石けん水を塗布した状態で検査する
ことを特徴とする請求項２記載の接続部位の気密検査方法。
【発明の詳細な説明】
【技術分野】
【０００１】
本発明は、気密検査用治具及び接続部位の気密検査方法に係り、特に、検査対象物の取り付け、取り外しが容易で、しかも、検査を安全に行うことができる気密検査用治具及び接続部位の気密検査方法に関する。
【背景技術】
【０００２】
従来、ろう付け、溶接等による接続部位の気密を検査する場合、検査対象物の通路の一端にエアーカプラを螺着して、前記通路の一端を閉塞した後、検査対象物の通路の他端から流体を供給して、接続部位の気密の検査を行うようにしている。
【発明の概要】
【発明が解決しようとする課題】
【０００３】
そのため、検査対象物にエアーカプラを螺着して接続する取り付け作業が必要で、しかも、検査した後、検査対象物からエアーカプラを螺着とは逆方向へ回転させて取り外す作業も必要で、更に、検査対象物とエアーカプラとの螺着状態が不十分であると、検査対象物の通路内の流体圧により、エアーカプラが検査対象物から飛び出してしまい作業者等に当たって危険であるという問題点が生じた。
【０００４】
本発明は、前記問題点を考慮してなされたもので、検査対象物の取り付け、取り外しが容易で、しかも、検査を安全に行うことができる気密検査用治具及び接続部位の気密検査方法を提供することを目的とする。
【課題を解決するための手段】
【０００５】
請求項１記載の気密検査用治具は、ベースと、このベースに取り付けられた被摺動部材と、この被摺動部材に対して気密的に摺動する摺動部材と、前記ベースに設けられた検査対象物が係止される被係止部と、前記摺動部材の内部に導通する通路とを備え、この通路は、前記被摺動部材と前記摺動部材で囲まれた室に連通するものであり、前記検査対象物は、先端に流体導入口、中途にろう付け、溶接等による接続部位、後端に後端開口部を有し、前記中途は、前記後端開口部から前記流体導入口に接続される検査通路の途中であり、前記被係止部に前記検査対象物が係止した状態にあって、前記摺動部材の前記通路の開口部と前記検査対象物の前記流体導入口が対向する位置関係にある。
【０００６】
また、請求項２記載の接続部位の気密検査方法は、ベースと、このベースに取り付けられた被摺動部材と、この被摺動部材に対して気密的に摺動する摺動部材と、前記ベースに設けられた検査対象物が係止される被係止部と、前記摺動部材の内部に導通する通路とを備え、この通路は、前記被摺動部材と前記摺動部材で囲まれた室に連通するものであり、前記検査対象物は、先端に流体導入口、中途にろう付け、溶接等による接続部位、後端に後端開口部を有し、前記中途は、前記後端開口部から前記流体導入口に接続される検査通路の途中であり、前記被係止部に前記検査対象物が係止した状態にあって、前記摺動部材の前記通路の開口部と前記検査対象物の前記流体導入口が対向する位置関係にあり、前記検査対象物の前記後端開口部から流体を供給し、前記検査対象物の前記流体導入口及び前記摺動部材の前記通路の開口部を介して前記摺動部材の通路から前記摺動部材の内部に前記流体を供給して、前記摺動部材が前記検査対象物に向かって移動し、前記摺動部材の通路の先端縁部が前記検査対象物の前記流体導入口の縁部と密に接触し、この接触した状態で気密検査をするものである。
【０００７】
また、請求項３記載の接続部位の気密検査方法は、請求項２記載の接続部位の気密検査方法において、気密検査は、接続部位の接続状態を水中に没した状態、又は、前記接続部位に水を塗布した状態、又は、前記接続部位に石けん水を塗布した状態で検査するものである。
【発明の効果】
【０００８】
請求項１記載の気密検査用治具によれば、ベースの被係止部に検査対象物が係止した状態にあって、摺動部材の通路の開口部と検査対象物の流体導入口が対向する位置関係にあるから、ベースの被係止部に検査対象物を係止し、検査対象物の検査通路に流体を満たせば、検査対象物の流体導入口、摺動部材の通路を介して、被摺動部材と摺動部材との間に形成された室に流体が流れ込んで、摺動部材が検査対象物に向かって移動し、摺動部材の通路の先端縁部が検査対象物の流体導入口の縁部と密に接触し、この接触した状態で、検査対象物の接続部位を水中に没したり、又は、接続部位に水を塗布したり、又は、接続部位に石けん水を塗布等して気密検査をすれば、検査対象物の接続部位の気密を容易に検査することができ、また、検査対象物への流体の供給を停止すれば、摺動部材の通路の先端縁部と検査対象物の流体導入口の縁部との接触状態を容易に解除することができ、
つまり、検査対象物を気密検査用治具に、従来のように螺着することなく、容易に、取り付け、取り外しができ、摺動部材と検査対象物との接触状態が不十分でも、検査通路内の流体圧により、摺動部材が離脱して気密検査用治具から飛び出すこともなく、安全に検査をおこなうことができる。
【０００９】
また、請求項２記載の接続部位の気密検査方法によれば、ベースの被係止部に検査対象物が係止した状態にあって、摺動部材の通路の開口部と検査対象物の流体導入口が対向する位置関係にあるから、ベースの被係止部に検査対象物を係止し、検査対象物の検査通路に流体を満たせば、検査対象物の流体導入口、摺動部材の通路を介して、被摺動部材と摺動部材との間に形成された室に流体が流れ込んで、摺動部材が検査対象物に向かって移動し、摺動部材の通路の先端縁部が検査対象物の流体導入口の縁部と密に接触し、この状態で検査対象物の接続部位を水中に没したり、又は、接続部位に水を塗布したり、又は、接続部位に石けん水を塗布等して気密検査をすれば、検査対象物の接続部位の気密を容易に検査することができ、また、検査対象物への流体の供給を停止すれば、摺動部材の通路の先端縁部と検査対象物の開口部縁部との接触状態を容易に解除することができ、
つまり、検査対象物を気密検査用治具に、従来のように螺着することなく、容易に、取り付け、取り外しができ、摺動部材と検査対象物との接触状態が不十分でも、検査通路内の流体圧により、摺動部材が離脱して気密検査用治具から飛び出すこともなく、安全に検査をおこなうことができる。
【図面の簡単な説明】
【００１０】
【図１】図１は、本発明の一実施例の検査対象物を気密検査用治具に係止し、検査対象物に流体を供給した状態の概略的斜視図である。
【図２】図２は、図１の気密検査用治具の一部を分解して示す概略的一部分解斜視図である。
【図３】図３（ａ）は、図１の概略的正面図であり、図３（ｂ）は、図３（ａ）の概略的右側面図である。
【図４】図４（ａ）は、図１の摺動部材の通路の開口部と検査対象物の検査通路の開口部が対向する位置関係を示した概略的図であり、図４（ｂ）は、図４（ａ）の検査対象物の検査通路に流体を供給した状態を示した概略的図である。
【図５】図５は、図１の検査対象物を気密検査用治具に係止し、検査対象物に流体を供給した状態で、水中に没して気密検査を行っている状態を示した概略的図である。
【図６】図６は、図１の気密検査用治具と異なる他の実施例の気密検査用治具で、該検査対象物を気密検査用治具に係止し、検査対象物に流体を供給した状態の概略的図である。
【発明を実施するための形態】
【００１１】
本発明の一実施例の気密検査用治具及び接続部位の気密検査方法を図面（図１乃至図  ５）を参照して説明する。
【００１２】
図１に示すＺは、接続部位の気密検査方法に使用する気密検査用治具で、気密検査用治具Ｚは、ベース１と、このベース１に取り付けられた被摺動部材２と、この被摺動部材２に対して気密的に摺動する摺動部材３と、ベース１に設けられた検査対象物Ｋが係止される被係止部４と、摺動部材３の内部に導通する通路３１とを備えている（図２乃至図  ４参照）。なお、被摺動部材２と摺動部材３の気密性は、シリンダー形状の摺動部材３の内周とピストン形状の被摺動部材２の外周との間に設けたシール部材Ｓにより保持されている。
【００１３】
ベース１は，例えば、平坦な面を有している。被摺動部材２は、例えば、ベース１に取り付けられた第１立設部材１１にネジ１２より取り付けられ、更に、被摺動部材２を詳述すれば、例えば、外周にシール部材Ｓを設けたベース１に平行な水平部材で、該水平部材の長手方向を横断する断面形状は、円となっている。
また、摺動部材３は、例えば、円筒形状で、被摺動部材２の外周を気密的に摺動するものである。
また、図４に示す３１は、摺動部材３の内部に導通する通路で、この通路３１は、被摺動部材２と摺動部材３で囲まれた室３２に連通するものとなっている。
また、図２に示すように、被係止部４は、ベース１に取り付けられ、第１立設部材１１に対向する第２立設部材１２’に、例えば、略Ｕ字形状に切り欠いたものである。
【００１４】
検査対象物Ｋは、例えば、冷凍サイクルの一部を構成するもので、図２及び図４に示すように、先端に流体導入口Ｋ１、中途にろう付け、溶接等による接続部位Ｋ２、後端に後端開口部Ｋ３を有し、前記中途は、流体導入口Ｋ１から後端開口部Ｋ３に接続される検査通路ＫＰの途中である。
そして、被係止部４に検査対象物Ｋが係止した状態にあって、摺動部材３の通路３１の開口部と検査対象物Ｋの検査通路ＫＰの流体導入口Ｋ１が対向する位置関係にある［図４（ａ）参照］。なお、摺動部材３の通路３１の開口部を摺動部材３の本体(例えば、金属)より柔らかい素材であるシリコン部材３１Ａで形成し、摺動部材３の通路３１の先端縁部が検査対象物Ｋの開口部縁部とより密に接触することができる。
【００１５】
従って、上述した気密検査用治具（接続部位の気密検査方法）Ｚによれば、ベース１の被係止部４に検査対象物Ｋが係止した状態にあって、摺動部材３の通路３１の開口部と検査対象物Ｋの検査通路ＫＰの流体導入口Ｋ１が対向する位置関係にある[図４(ａ)参照]から、ベース１の被係止部４に検査対象物Ｋを係止し、例えば、エアーノズルＮ（図５参照）により流体導入口Ｋ１を介して空気を供給して、検査対象物Ｋの検査通路ＫＰに流体を満たせば、検査対象物Ｋの流体導入口Ｋ１、摺動部材３の通路３１を介して、被摺動部材２と摺動部材３との間に形成された室３２に流体が流れ込んで、摺動部材３が検査対象物Ｋに向かって移動し、摺動部材３の通路３１の先端縁部が検査対象物Ｋの流体導入口Ｋ１の縁部と密に接触し、この状態で検査対象物Ｋの接続部位Ｋ２を図５に示す水中に没し（又は、接続部位に図示しない水を塗布したり、又は、接続部位に図示しない石けん水を塗布）等して気密検査をすれば、検査対象物Ｋの接続部位Ｋ２の気密を容易に検査することができ、また、検査対象物Ｋへの流体の供給を停止すれば、摺動部材３の通路３１の先端縁部と検査対象物Ｋの流体導入口Ｋ１との接触状態を容易に解除することができ、    
つまり、後端開口部Ｋ３から流体を供給し、流体導入口Ｋ１を介して摺動部材３の通路３１から摺動部材３の内部に流体を供給して、摺動部材３が検査対象物Ｋに向かって移動し、摺動部材３の通路３１の先端縁部が検査対象物Ｋの流体導入口Ｋ１と密に接触した状態で気密検査をすることができるため、
検査対象物Ｋを気密検査用治具Ｚに、従来のように螺着することなく、容易に、取り付け、取り外しができ、摺動部材３と検査対象物Ｋとの接触状態が不十分でも、検査通路ＫＰ内の流体圧により、摺動部材３が離脱して気密検査用治具Ｚから飛び出すこともなく、安全に検査をおこなうことができる。
【００１６】
なお、上述した気密検査用治具（接続部位の気密検査方法）Ｚの実施例においては、摺動部材３をシリンダー形状としたが、本願発明にあっては、これに限らず、図６記載のように、摺動部材３をピストン形状としても良い。
また、上述した実施例においては、被摺動部材２をネジ１２によりベース１に取り付けたが、本願発明にあっては、これに限らず、図６記載のように、被摺動部材２をベース１に一体的に取り付けても良い。
図６記載の実施例にあっては、摺動部材３は、被摺動部材２に対して気密的に摺動するが、被摺動部材２と摺動部材３の気密性は、シリンダー形状の被摺動部材２の内周とピストン形状の摺動部材３の外周との間に設けたシール部材Ｓにより保持されている。
また、図６記載の実施例にあっては、上述の図１乃至ず５記載の実施例と同一部分に同一符号を付して、その説明を省略する。
【符号の説明】
【００１７】
Ｚ      気密検査用治具
Ｋ      検査対象物
ＫＰ    検査通路
１      ベース
２      被摺動部材
３      摺動部材
４      被係止部
３１    通路
３２    室
Ｋ１    流体導入口
【図１】
2016065738.tif 000003
【図２】
2016065738.tif 000004
【図３】
2016065738.tif 000005
【図４】
2016065738.tif 000006
【図５】
2016065738.tif 000007
【図６】
2016065738.tif 000008